(57)【特許請求の範囲】
【請求項１】
ファンの翼から間隔をあけて環状壁を形成し、この環状壁には前記翼と対向する部分に、環状壁の内周部と外周部を連通するスリットを形成し、ファンの回転に伴って前記スリットから空気を環状壁の内周部に吸い込む構造であって、前記環状壁の内側には、吐出側に向かって広がる拡開部を設け、さらに取付穴を有する取り付け座を吐出側に設け、取り付け座の高さは前記拡開部の軸方向高さに略等しくした軸流ファン。
【請求項２】
ファンの翼から間隔をあけて環状壁を形成し、この環状壁には前記翼と対向する部分に、環状壁の内周部と外周部を連通するスリットを形成し、ファンの回転に伴って前記スリットから空気を環状壁の内周部に吸い込む構造であって、環状壁の内側には、吐出側に向かって広がる拡開部を設け、さらに取付穴を有する取り付け座を吐出側に設け、前記拡開部の取り付け座近傍には凸状の逃がし部を設けた軸流ファン。
【請求項３】
ケーシング外周部の取り付け座近傍にはケーシング天面に略垂直な平面部を設け、且つ取り付け座の取付穴と前記平面部との距離は標準ナットの対面幅寸法の略２分の１とした、請求項１または請求項２記載の軸流ファン。
【請求項４】
取り付け座の高さはケーシング天面と略同一面とした請求項１記載の軸流ファン。
【発明の詳細な説明】
【０００１】
【発明の属する技術分野】
本発明は本発明は、ＯＡ機器、制御機器、電子機器、工作機械、ＡＶ機器等に送風装置として使用される軸流ファンに関し、その取り付け構造に関するものである。
【０００２】
【従来の技術】
近年、機器の小型化と電子化により、電気回路の高密度実装が盛んに使用されるようになってきた。これに伴い電子機器の発熱密度も増加するため、各種機器冷却用に軸流ファンが使用されている。
【０００３】
長年用いられてきた軸流ファンは、図８に示すように、回転軸を中心として複数の翼１００を放射状に配置し、その外周を空気流を軸方向にガイドする環状壁９２で取り囲み、その環状壁の端面を筐体に取り付ける構造が一般的である。
【０００４】
本出願人は、このような軸流ファンの効率と騒音を改善するため、特開平１０−１８９９５号、特願平８−１７４０４２号、特願平９−１５１４５０号、特願平９−３２６８４３号、特願平９−３５９５９３号公報において環状壁にスリットを設けた構造の軸流ファンを開示している。これは、図９、図１０に示すように、送風状態において環状壁８２に設けたスリット８３から環状壁８２の内部へ空気を吸い込み、これにより、翼先端漏れ渦及び旋回失速の発生を抑制し、風量―静圧特性の向上と静音化を図るものである。
【０００５】
【発明が解決しようとする課題】
環状壁にスリットをもたない従来の軸流ファンのケーシングにおいては、一般的に吸込側と吐出側の両側に取付穴を有するつば部が設けられる。そして軸流ファンの厚みより長いねじを使うことによりケーシング外周部とねじ頭部は接触しない。また、吸い込み側吐き出し側のどちらの面でも取り付けできる。
【０００６】
一方、先に挙げた環状壁８２にスリット８３をもつ軸流ファンにおいては、冷却すべき機器の筐体に軸流ファンの吸込側８で取り付けようとすると、吐出した空気がスリット８３に戻って循環する空気流をもつ構造となるので、ショートパスによるロスが発生する。また吸込側の環状壁はスリット８３が設けられるから、軸流ファン取付部を設ける肉厚が薄い。従って吐出側４のみに軸流ファンの取り付け座８６を設けるのが合理的である。
【０００７】
軸流ファンにおいては、空気流の抵抗を小さくし流量を増大するため、吐き出し側に拡開部を設けるのがよい。また、モータの外形寸法を小さくする要求があっても、翼の外径や拡開部はできるだけ大きくしたい。このような状況にあっては、拡開部と取り付け座とが干渉して両立できなくなり、取付けねじのねじ頭部またはナットがケーシング外周部と接触する場合があった。
【０００８】
本発明は、このような従来の課題を解決するものであり、環状壁にスリットを有し吐き出し側に拡開部を有する構造の軸流ファンにおいて、小型でありながらねじ頭部とケーシング外周部の不具合接触をさけることができる軸流ファンを提供することを目的とする。
【０００９】
【課題を解決するための手段】
上記課題を解決するために本発明は、ファンの翼から間隔をあけて環状壁を形成し、この環状壁には前記翼と対向する部分に、環状壁の内周部と外周部を連通するスリットを形成し、ファンの回転に伴って前記スリットから空気を環状壁の内周部に吸い込む構造であり、さらに環状壁の内側には、吐出側に向かって広がる拡開部を設けた軸流ファンにおいて、取付穴を有する取り付け座を吐出側に設け、取り付け座の高さは前記拡開部の軸方向高さに略等しくしたものである。
【００１０】
【発明の実施の形態】
本発明の請求項１に記載の発明は、翼とは対向しない環状壁の内側の４角には、吐出側に向かって広がる様拡開部を設けた軸流ファンにおいて、取付穴を有する取り付け座を吐出側に設け、取り付け座の高さは前記拡開部の軸方向高さに略等しくしたことを特徴とする軸流ファンである。
【００１１】
このようにしたから、ねじ頭部またはナットを拡開部から遠ざけることができ、ファン形状を大きくすることなく取り付けねじとケーシングとの干渉を防止できる。
【００１２】
請求項２に記載の発明は、取付穴を有する取り付け座を吐出側に設け、前記拡開部の取り付け座近傍には凸状の逃がし部を設けた軸流ファンである。
【００１３】
この構成により、拡開部に凸状の逃がし部が加わって空気流をわずかに乱すものの、短いねじで取り付けでき、且つケーシング外周部とねじとの干渉を防ぐことができる。
【００１４】
請求項３に記載の発明は、ファン取付用のＭ３・Ｍ４などの標準ナットが、ケーシング外周部とすきまばめまたは中間ばめとなるよう、ケーシング外周部にはナット形状に沿った平面部を設けた請求項１記載の軸流ファンである。この構成により、ねじ頭部とケーシング外周部の不具合接触とねじの浮きを防ぎ、且つねじを締めつけやすくすることができる。
【００１５】
請求項４に記載の発明は、軸流ファン取付部の段部の高さは、ケーシング天面と同一面である請求項１記載の軸流ファンである。この構成により、ねじ頭部とケーシング外周部の干渉を防ぐことができ、また、吸込み側に軸流ファン取付け部材を配置する必要がある場合でも取り付けられるよう対応することができる。
【００１６】
【実施例】
（実施例１）
以下本発明の第１の実施例について、図１、図２を参照しながらその構成を説明する。
【００１７】
図１、図２においてケーシング１は、ファンの翼１００から間隔をあけて環状壁２を形成し、この環状壁２には翼１００と対向する部分に、環状壁２の内周部と外周部を連通するスリット３を形成し、翼１００の回転に伴ってスリット３から空気を環状壁２の内周部に吸い込むことができるようになっている。さらに環状壁２の内側には、吐出側４に向かって広がる拡開部５を設けている。ケーシングの外周部１１は、拡開部５に対応する位置で、ケーシングの肉厚を確保すべく拡開している。そして吐出側４に設けた取り付け座６の高さＬ１は、拡開部５の軸方向高さＬ２にほぼ等しくなるように高くなっている。従って取り付け座６はその周辺のつば部から段付き形状に突出している。
【００１８】
このようにしたから、ねじ頭部１１０またはナット１２０は、ケーシング外周部１１と接触干渉することがない。そして、ねじの引っ掛かり、浮き、それによる軸流ファンのがたつき、振動、異音などの不具合を低減できる。さらに、取り付け座を高くしたから、ケーシング外周部１１と取り付け座６との結合が強固になる効果もある。
【００１９】
このとき、取り付け座の高さＬ１は必ずしも拡開部５の軸方向高さＬ４に正確に一致する必要はない。ケーシング内外間に必要な距離（肉厚）が確保できるのであれば低くてもよく、あるいは多少高くてもよい。
【００２０】
（実施例２）
以下、本発明の第２の実施例について、図３、図４を参照しながらその構成を説明する。
【００２１】
図３、図４において、ケーシング外周部２１は、取り付け座２６付近がケーシングの一部を抉って軸方向に垂直に形成され、ケーシング内周部の拡開部２５には、取り付け座２６に対応する部分に凸状の逃がし部２３が形成されている。
【００２２】
この構成としたから、ねじ頭部またはナットがケーシング外周部２１と接触干渉することを回避できる。また、短いねじで軸流ファンを取付ることができ、経済的である。
【００２３】
（実施例３）
以下、本発明の第３の実施例について、図５、図６を参照しながらその構成を説明する。
【００２４】
図５、図６において、取り付け座３６を高くした点は実施例１を示した図１、図２と同様なものである。図１、図２の構成と異なる点は、軸流ファン取付用のＭ３・Ｍ４などの標準ナット１２０、例えばＪＩＳＢ１１８１に記載の広く市場に流通しているものが、ケーシング外周部３１で廻り止めできるよう、ケーシング外周部３１の形状にはナット１２０の形状に沿った平面部３２を設け、取付穴３７に対する平面部寸法Ｌ３はナット１２０の半径寸法と定めたものである。平面部３２は、スリット３３を有する環状壁４２にも設けて良い。
【００２５】
この構成により、ナット１２０はケーシング外周部３１で廻り止めされ、ねじ締付け工程が容易になり、またナットのがたつきを低減することができる。
【００２６】
（実施例４）
以下、本発明の第４の実施例について、図７を参照しながらその構成を説明する。
【００２７】
図７において、取り付け座４６を設けた点は実施例１を示した図１、図２と同様なものである。図１、図２の構成と異なるのは、取り付け座４６の高さＬ４はケーシング天面４５と略同一高さとなっている点である。
【００２８】
この構成により、実施例１と同様に不具合接触・ねじの浮きを避ける作用を有し、軸流ファンのがたつき・振動を低減する優れた軸流ファンを提供することができる。また、吸込側８に軸流ファンのつば部を設けることなく、構造が簡素でケーシングの樹脂成形が容易な構造である作用を有し、かつケーシング天面４５は取り付け座４６を含むので平面度が安定しやすく、且つ吸込側８、吐出側４どちらからでも容易に軸流ファンを取り付けることが可能な優れた軸流ファンを提供することができる。
【００２９】
【発明の効果】
上記実施例から明かなように、請求項１記載の発明によれば、軸流ファンの取り付け座を拡開部の高さと略同一としたことにより、ねじ頭部またはナットは、ケーシング外周部と接触することなく、これによりねじ頭部またはナットがケーシング外周部に引っ掛かることによるねじの浮きを防ぎ、軸流ファンのがたつき・振動・異音を低減する優れた軸流ファンを実現できるものである。
【００３０】
また請求項２記載の発明によれば、軸流ファン取り付け座の高さは低いままで、ねじの不具合接触・浮きを避け、短いねじで軸流ファンを取付ることができる経済的な軸流ファンを実現できるものである。
【００３１】
また請求項３記載の発明によれば、軸流ファン取付け用のＭ３などの標準ナットがケーシング外周部で廻り止めできるよう、ケーシング外周部の形状を平面にしたことにより、ナットはケーシング外周部で固定され、ねじ締付け工程が容易になる優れた軸流ファンを実現できる。
【００３２】
また請求項４記載の発明によれば、取付穴付近の肉厚はケーシング天面と同一面としたことにより、吸込側に軸流ファン取付のつば部を設けることなく、取付部の構造が簡素でケーシングの樹脂成形が容易な構造でありながら、スペーサなど要せず吸込側、吐出側どちらからでも容易に安定して軸流ファンを取付ることが可能な優れた軸流ファンを提供することができる。
【図面の簡単な説明】
【図１】本発明の実施例１における軸流ファンの斜視図
【図２】本発明の実施例１における軸流ファンのケーシングの断面図
【図３】本発明の実施例２における軸流ファンの斜視図
【図４】本発明の実施例２における軸流ファンのケーシングの断面図
【図５】本発明の実施例３における軸流ファンの斜視図
【図６】本発明の実施例３における軸流ファンのケーシングの拡大斜視図
【図７】本発明の実施例４における軸流ファンの斜視図
【図８】従来の軸流ファンの断面図
【図９】従来の軸流ファンの分解斜視図
【図１０】従来の軸流ファンの斜視図
【符号の説明】
１  ケーシング
２、４２、８２、９２  環状壁
３、３３、８３  スリット
４  吐出側
５、２５  拡開部
６、２６、３６、４６、８６  取り付け座
７、２７、３７  取付穴
８  吸引側
１１、２１、３１  ケーシングの外周部
２３  逃がし部
３２  平面部
４５  ケーシング天面
１００  翼
１１０  ねじ頭部
１２０  ナット
Ｌ１、Ｌ４  取り付け座の高さ
Ｌ２  拡開部の軸方向高さ
Ｌ３  平面部寸法
【図１】
0003835047.tif 000002
【図２】
0003835047.tif 000003
【図３】
0003835047.tif 000004
【図４】
0003835047.tif 000005
【図５】
0003835047.tif 000006
【図６】
0003835047.tif 000007
【図７】
0003835047.tif 000008
【図８】
0003835047.tif 000009
【図９】
0003835047.tif 000010
【図１０】
0003835047.tif 000011